(57)【要約】【課題】製造コストが安く、人手により容易に支柱に嵌め込むことができ、支柱に対して嵌め込み損じるおそれがなく、しかも、防護柵への車の衝突事故等により破損して飛散し、人に当たった場合であっても人に与える影響が少ない防護柵支柱用反射部材を提供する。【解決手段】防護柵のキャップを覆うようにキャップに嵌め込まれる反射部材本体３と、反射部材本体３の下縁に内側に向けて形成された複数個の爪５と、反射部材本体３の側面に設けられた光反射材４とからなり、反射部材本体３の嵌め込み前の爪５の先端部を結ぶ円の直径は、キャップの外周面の直径より小さく、反射部材本体３をキャップに嵌め込む際には、爪５は、弾性力に抗して外方に広がり、嵌め込みが完了した後は、弾性力により元の状態に復帰する防護柵支柱用反射部材において、反射部材本体３の内面には、反射部材本体３の高さ方向に沿って凸状のリブ６が形成され、リブ６は、反射部材本体３の周方向に間隔をあけて複数本、形成されている。【選択図】図１
2017145638.tif 000002
【特許請求の範囲】
【請求項１】
防護柵のキャップ付き支柱のキャップに嵌め込まれる防護柵支柱用反射部材であって、前記キャップを覆うように前記キャップに嵌め込まれる反射部材本体と、前記反射部材本体の下縁に内側に向けて形成された複数個の爪と、前記反射部材本体の側面に設けられた光反射材とからなり、前記反射部材本体の嵌め込み前の前記爪の先端部を結ぶ円の直径は、前記キャップの外周面の直径より小さく、前記反射部材本体を前記キャップに嵌め込む際には、前記爪は、弾性力に抗して外方に広がり、嵌め込みが完了した後は、弾性力により元の状態に復帰する防護柵支柱用反射部材において、
前記反射部材本体の内面には、前記反射部材本体の高さ方向に沿って凸状のリブが形成され、前記リブは、前記反射部材本体の周方向に間隔をあけて複数本、形成されていることを特徴とする防護柵支柱用反射部材。
【請求項２】
前記リブは、前記反射部材本体の内面上部には形成されていないことを特徴とする、請求項１に記載の防護柵支柱用反射部材。
【請求項３】
前記光反射材は、光反射テープからなっていることを特徴とする、請求項１または２に記載の防護柵支柱用反射部材。
【請求項４】
前記光反射材は、光反射塗膜からなっていることを特徴とする、請求項１または２に記載の防護柵支柱用反射部材。
【請求項５】
前記反射部材本体は、樹脂製であることを特徴とする、請求項１から４の何れか１つに記載の防護柵支柱用反射部材。
【発明の詳細な説明】
【技術分野】
【０００１】
この発明は、防護柵支柱用反射部材、特に、防護柵の支柱のキャップに嵌め込まれる、防護柵支柱用反射部材に関するものである。
【背景技術】
【０００２】
従来、道路等に設置される防護柵は、適宜間隔をあけて立設された、上端部にキャップが嵌め込まれた支柱と、この支柱間に取り付けられたガードレール、ガードパイプあるいはガードケーブル等のガード部材とから構成されている。
【０００３】
上記防護柵は、一般に白色塗料が施されているが、近年、周囲の景観を考慮して、茶系統のダーク色が施される傾向にある。このようにダーク色が施された防護柵は、昼間は問題なく視認できるが、夜間になると視認しにくく、事故につながる危険性があった。なお、白色塗料が施された防護柵であっても、夜間、視認しにくい場合もある。
【０００４】
そこで、防護柵の支柱の上端部に嵌め込まれるキャップに、夜間の視認性を向上させる機能を持たせたものが種々提案されている。その一例が特許文献１に開示されている。以下、このキャップを従来キャップといい、図面を参照しながら説明する。
【０００５】
図８は、従来キャップを示す斜視図、図９は、従来キャップを示す正面図、図１０は、従来キャップを示す側面図、図１１は、従来キャップを示す底面図、図１２は、図９のＡ−Ａ線断面図、図１３は、支柱に取り付けられた従来キャップを示す正面図である。
【０００６】
図８から図１３に示すように、従来キャップは、円筒形状の樹脂製キャップ本体１１と円形状の金属製板ばね１２とから構成されている。キャップ本体１１は、キャップが取り付けられていない丸鋼管からなる支柱１３の上端部に嵌め込まれる（図１３参照）。板ばね１２は、キャップ本体１１内に形成された突起１４にボルト１５により固定されている。なお、反射機能を有さない通常の防護柵支柱用キャップは、金属製で支柱１３に対して溶接により取り付けられ、支柱１３の上端部の開口を閉鎖して、支柱１３内への雨水の浸入防止等を図る機能を有している。
【０００７】
キャップ本体１１の側面には、光反射テープ１６が貼り付けられている。板ばね１２の周縁には、複数枚の爪１７が間隔をあけてそれぞれ上向きに形成されている。図１２に示すように、対抗する爪１７の先端部間の長さ（Ｌ）は、キャップ本体１１の内径（Ｒ）より短く、キャップ本体１１を支柱１３の上端部に嵌め込む前の爪１７の先端部とキャップ本体１１の内面との間の距離（Ｔ）は、支柱１３の肉厚（Ｍ）より短く形成されている。
【０００８】
このように構成されている従来キャップを支柱１３の上端部に嵌め込むには、以下のようにする。
【０００９】
キャップ本体１１を板ばね１２を下に向けて支柱１３の上端部に当てがい、キャップ本体１１に力を加えて、支柱１３の上端面がキャップ本体１１の内面に当接するまでキャップ本体１１を下方に押し下げる。この際、上述したように、キャップ本体１１を支柱１３に嵌め込む前の爪１７の先端部とキャップ本体１１の内面との間の距離（Ｔ）は、支柱１３の肉厚（Ｍ）より短く形成されているので、板ばね１２の爪１７は、その弾性力に抗して内側に変形し、キャップ本体１１の内面を押圧する。これによって、キャップ本体１１に引き抜き力が作用しても、板ばね１２の爪１７の先端部がキャップ本体１１の内面に食い込む力が作用する結果、キャップ本体１１は、支柱１３から容易に引き抜かれるおそれはない。
【００１０】
上述したように、従来キャップによれば、一旦、キャップ本体１１を支柱１３に嵌め込んだ後は、キャップ本体１１に引き抜き力が作用しても、板ばね１２の爪１７の先端部がキャップ本体１１の内面に食い込む力が作用する結果、キャップ本体１１が支柱１３から容易に引き抜かれるおそれはないが、以下のような問題があった。
【００１１】
（ａ）従来キャップは、キャップ本体１１と板ばね１２と板ばね１２をキャップ本体１１に固定するボルト１５と反射テープ１６から構成されるので、部品数が多く、この分、製造コストが高くなる。
（ｂ）従来キャップは、金属製キャップが取り付けられていない支柱１３の上端部に嵌め込まれるので、金属製キャップと同様な効果が要求される。すなわち、支柱１３から容易に外れないことが必須要件となる。このために、板ばね１２の爪１７に大きな弾性力が要求される結果、この分、キャップ本体１１を支柱１３に嵌め込む際には、大きな嵌め込み力を必要とするので、人手により嵌め込むことが困難となる。この結果、ハンマー等の工具を使用して嵌め込む必要があるので、従来キャップの嵌め込みには、手間と時間を要する。
（ｃ）従来キャップは、ハンマー等の工具を使用して嵌め込む必要があるので、一旦、例えば、斜めに嵌め込んでしまったような場合には、その修正に手間と時間を要する。
（ｄ）従来キャップは、上述したように、金属製キャップと同様な効果が要求されるので、キャップ本体１１をある程度、肉厚にして強度を持たせる必要がある。この結果、従来キャップが防護柵への車の衝突事故等により破損し、飛散して、人に当たった場合の人に与える影響が大きい。
【００１２】
特許文献２には、上記従来キャップの有する問題点を解決するための防護柵支柱用反射部材が開示されている。以下、この防護柵支柱用反射部材を従来反射部材といい、図面を参照しながら説明する。
【００１３】
図１４は、従来反射部材を示す正面図、図１５は、従来反射部材を示す平面図、図１６は、従来反射部材を示す側面図、図１７は、従来反射部材を示す底面図、図１８は、図１５のＡ−Ａ線断面図、図１９は、図１５のＢ−Ｂ線断面図、図２０は、支柱のキャップに嵌め込まれた従来反射部材を示す断面図である。
【００１４】
図１４から図２０に示すように、従来反射部材は、丸鋼管からなる支柱１８の上端部に取り付けられた金属製キャップ１９（図２０参照）に嵌め込まれる円筒形状の樹脂製反射部材本体２０と、反射部材本体２０の下縁に内側に向けて形成された複数個の爪２１と、反射部材本体２０の側面に貼り付けられた光反射テープからなる光反射材２２とからなっている。
【００１５】
反射部材本体２０の上部には、キャップ１９の外面に当接する当接部２３が形成されている。当接部２３は、反射部材本体２０の上部を内側にリング状に突出させることにより形成されている。反射部材本体２０の内側にリング状に突出した当接部２３には、３個の切り欠き２３ａが形成され、爪２１は、この切り欠き２３ａと相対する反射部材本体２０の下縁に形成されている。反射部材本体２０の嵌め込み前の爪２１の先端部を結ぶ円（Ｏ）の直径（Ｒ１）は、キャップ１９の外周面の直径（Ｒ２）より小さい（図１５、図２０参照）。
【００１６】
これによって、反射部材本体２０をキャップ１９に嵌め込む際には、爪２１は、弾性力に抗して外方に広がり、嵌め込みが完了した後は、弾性力により元の状態に復帰する。爪２１が元の状態に復帰し、爪２１がキャップ１９の下部端面に当接する結果、反射部材本体２０に引き抜き力が作用しても反射部材本体２０は、キャップ１９から外れることはない（図２０参照）。
【００１７】
なお、当接部２３は、図２１に示すように、キャップ１９を覆うような蓋状に形成してもよい。
【００１８】
以上のように構成されている従来反射部材は、以下のようにして、支柱のキャップに嵌め込まれる。
【００１９】
反射部材本体２０をキャップ１９に当てがい、手のひらで反射部材本体２０を押し下げる。このときの押し下げ力は、爪２１の弾性力が大きくないので、容易に押し下げることができる。反射部材本体２０が押し下げられると、爪２１は、キャップ１９の側面に沿って、弾性力に抗して外方に広がりながら下降する。爪２１は、キャップ１９を通過すると、弾性力により元の状態に復帰する。これによって、爪２１は、キャップ１９の下部端面に当接する結果、反射部材本体２０に引き抜き力が作用しても反射部材本体２０は、キャップ１９から外れることはない。
【００２０】
このようにして、従来反射部材は、防護柵の支柱のキャップに容易かつ確実に嵌め込まれ、反射部材本体２０に引き抜き力が作用しても反射部材本体２０がキャップ１９から容易に外れることはない。
【先行技術文献】
【特許文献】
【００２１】
【特許文献１】意匠登録第１３８０８５４号公報
【特許文献２】特開２０１５−９４１１１号公報
【発明の概要】
【発明が解決しようとする課題】
【００２２】
上述した従来反射部材によれば、以下のような効果がもたらされる。
【００２３】
（ａ）部品数は、反射部材本体２０と光反射材２２のみであるので、製造コストが安くつく。
（ｂ）支柱１８のキャップ１９に嵌め込むものであるので、従来キャップほど高い嵌め込み力を必要としない。この結果、ハンマー等の工具等を使わず人手によりキャップ１９に嵌め込むことができる。
（ｃ）従来キャップほど高い嵌め込み力を必要としないので、支柱１８のキャップ１９に対して嵌め込み損じるおそれがなく、たとえ、嵌め込み損じても容易に再嵌め込みが行える。
（ｄ）従来キャップほど高い強度を必要としないので、防護柵への車の衝突事故等により破損して飛散し、人に当たった場合であっても人に与える影響が少ない。
（ｅ）従来キャップに取付け可能のため、既に組立が完了している防護柵支柱に取り付けることができる。
【００２４】
しかし、従来反射部材には、以下のような問題があった。
【００２５】
（ａ）従来キャップほど高い嵌め込み力を必要としないが、反射部材本体２０とキャップ１９とは、面接触するので、接触面積が広く、キャップ１９を覆うように蓋状に形成された場合、反射部材本体２０内の空気が抜けず、人手による大きな嵌め込み力を必要とする。
（ｂ）図２１に示すように、反射部材本体２０をキャップ１９を覆うような蓋状に形成した場合には、問題がないが、反射部材本体２０を円筒形状に形成した場合には、キャップ１９の上部が露出するので、キャップ１９に打撃を加えて支柱１８を構築する際に生じる打撃傷を、美観上の観点から補修する必要があった。
（ｃ）キャップ１９の打撃によりキャップ１９の上部のコーナー部が変形すると、反射部材本体２０が斜めにキャップ１９に嵌め込まれるおそれがあった。
（ｄ）反射部材本体２０を蓋状に形成した場合には、反射部材本体２０をキャップ１９に嵌め込む際、反射部材本体２０とキャップ１９との間の空気が外部に排気されにくく、この点からも大きな嵌め込み力を必要とする。
【００２６】
従って、この発明の目的は、製造コストが安く、工具等を使わず人手により容易に支柱に嵌め込むことができ、キャップに打撃を加えて支柱を構築する際に生じる打撃傷を補修する必要がなく、キャップの打撃によりキャップの上部のコーナー部が変形しても、キャップに正確に嵌め込むことができ、しかも、防護柵への車の衝突事故等により破損して飛散し、人に当たった場合であっても人に与える影響が少ない防護柵支柱用反射部材を提供することにある。
【課題を解決するための手段】
【００２７】
この発明は、上記目的を達成するためになされたものであって、下記を特徴とする。
【００２８】
請求項１に記載の発明は、防護柵のキャップ付き支柱のキャップに嵌め込まれる防護柵支柱用反射部材であって、前記キャップを覆うように前記キャップに嵌め込まれる反射部材本体と、前記反射部材本体の下縁に内側に向けて形成された複数個の爪と、前記反射部材本体の側面に設けられた光反射材とからなり、前記反射部材本体の嵌め込み前の前記爪の先端部を結ぶ円の直径は、前記キャップの外周面の直径より小さく、前記反射部材本体を前記キャップに嵌め込む際には、前記爪は、弾性力に抗して外方に広がり、嵌め込みが完了した後は、弾性力により元の状態に復帰する防護柵支柱用反射部材において、前記反射部材本体の内面には、前記反射部材本体の高さ方向に沿って凸状のリブが形成され、前記リブは、前記反射部材本体の周方向に間隔をあけて複数本、形成されていることに特徴を有するものである。
【００２９】
請求項２に記載の発明は、請求項１に記載の発明において、前記リブは、前記反射部材本体の内面上部には形成されていないことに特徴を有するものである。
【００３０】
請求項３に記載の発明は、請求項１または２に記載の発明において、前記光反射材は、光反射テープからなっていることに特徴を有するものである。
【００３１】
請求項４に記載の発明は、請求項１または２に記載の発明において、前記光反射材は、光反射塗膜からなっていることに特徴を有するものである。
【００３２】
請求項５に記載の発明は、請求項１から４の何れか１つに記載の発明において、前記反射部材本体は、樹脂製であることに特徴を有するものである。
【発明の効果】
【００３３】
この発明によれば、以下のような効果がもたらされる。
【００３４】
（ａ）部品数が少なくて済むので、製造コストが安くつく。
（ｂ）反射部材本体とキャップとは、リブを介して線接触するので、接触面積が狭く、このために、人手による小さな嵌め込み力で反射部材本体をキャップに嵌め込むことができる。
（ｃ）反射部材本体を蓋状に形成することによって、キャップに打撃を加えて支柱を構築する際に生じる打撃傷を補修する必要がない。
（ｄ）キャップの打撃によりキャップの上部のコーナー部が変形しても、リブを反射部材本体の内面上部に形成しないことによって設けられるスペースによって変形部分を吸収できるので、反射部材本体をキャップに正規の位置に嵌め込むことができる。
（ｅ）反射部材本体をキャップに嵌め込む際、反射部材本体とキャップとの間の空気は、リブ間に形成された隙間から外部に排気されるので、この点からも人手による小さな嵌め込み力で反射部材本体をキャップに嵌め込むことができる。
（ｆ）従来キャップほど高い強度を必要としないので、防護柵への車の衝突事故等により破損して飛散し、人に当たった場合であっても人に与える影響が少ない。
【図面の簡単な説明】
【００３５】
【図１】この発明の防護柵支柱用反射部材を下方から見た斜視図である。
【図２】この発明の防護柵支柱用反射部材を示す平面図である。
【図３】この発明の防護柵支柱用反射部材を示す背面図である。
【図４】この発明の防護柵支柱用反射部材を示す左側面図である。
【図５】この発明の防護柵支柱用反射部材を示す底面図である。
【図６】図２のＡ−Ａ線断面図である。
【図７】図２のＢ−Ｂ線断面図である。
【図８】従来キャップを示す斜視図である。
【図９】従来キャップを示す正面図である。
【図１０】従来キャップを示す側面図である。
【図１１】従来キャップを示す底面図である。
【図１２】図９のＡ−Ａ線断面図である。
【図１３】支柱に取り付けられた従来キャップを示す正面図である。
【図１４】従来反射部材を示す正面図である。
【図１５】従来反射部材を示す平面図である。
【図１６】従来反射部材を示す側面図である。
【図１７】従来反射部材を示す底面図である。
【図１８】図１５のＡ−Ａ線断面図である。
【図１９】図１５のＢ−Ｂ線断面図である。
【図２０】支柱のキャップに嵌め込まれた従来反射部材を示す断面図である。
【図２１】支柱のキャップに嵌め込まれた別の従来反射部材を示す断面図である。
【発明を実施するための形態】
【００３６】
この発明の防護柵支柱用反射部材の一実施態様を、図面を参照しながら説明する。
【００３７】
図１は、この発明の防護柵支柱用反射部材を下方から見た斜視図、図２は、この発明の防護柵支柱用反射部材を示す平面図、図３は、この発明の防護柵支柱用反射部材を示す背面図、図４は、この発明の防護柵支柱用反射部材を示す左側面図、図５は、この発明の防護柵支柱用反射部材を示す底面図、図６は、図２のＡ−Ａ線断面図、図７は、図２のＢ−Ｂ線断面図である。
【００３８】
図１から図７に示すように、この発明の防護柵支柱用反射部材は、丸鋼管からなる支柱１の上端部に取り付けられた金属製キャップ２（図７参照）に嵌め込まれる樹脂製反射部材本体３と、反射部材本体３の側面に貼り付けられた光反射テープからなる光反射材４とからなっている。
【００３９】
反射部材本体３は、蓋状に形成され、キャップ２を覆うようにキャップ２に嵌め込まれる。反射部材本体３を蓋状に形成することによって、キャップ２に打撃を加えて支柱１を構築する際に生じる打撃傷を補修する必要がない。
【００４０】
反射部材本体３の下縁には、内側に向けて複数個（この例では４個）の爪５が形成されている。
【００４１】
爪５の両側の反射部材本体３の下部には、爪５の開閉を容易にするために切り欠き３ａが形成されている。反射部材本体３の嵌め込み前の爪５の先端部を結ぶ円の直径（Ｒ１）は、キャップ２の外周面の直径（Ｒ２）より小さい（Ｒ１＜Ｒ２）（図７参照）。
【００４２】
これによって、反射部材本体３をキャップ２に嵌め込む際には、爪５は、弾性力に抗して外方に広がり、嵌め込みが完了した後は、弾性力により元の状態に復帰する。爪５が元の状態に復帰し、爪５がキャップ２の下部端面に当接する結果、反射部材本体３に引き抜き力が作用しても反射部材本体３は、キャップ２から外れることはない（図７参照）。
【００４３】
反射部材本体３の内面には、反射部材本体３の高さ方向に沿って凸状のリブ６が形成されている。リブ６は、反射部材本体３の周方向に間隔をあけて複数本（この例では、１２本）、形成されている。
【００４４】
リブ６を形成することによって、反射部材本体３をキャップ２に嵌め込む際、反射部材本体３とキャップ２とは、線接触するので、接触面積が狭く、このために、人手による小さな嵌め込み力で反射部材本体３をキャップ２に嵌め込むことができる。
【００４５】
また、リブ６を形成することによって、反射部材本体３をキャップ２に嵌め込む際、反射部材本体３とキャップ２との間の空気は、リブ６間に形成された隙間から外部に排気されるので、この点からも人手による小さな嵌め込み力で反射部材本体３をキャップ２に嵌め込むことができる。
【００４６】
なお、リブ６を反射部材本体３の内面上部に形成しないことによって、キャップ２の打撃によりキャップ２の上部のコーナー部が変形しても、この変形部分は、リブ６に当たらないので、反射部材本体３をキャップに正確に嵌め込むことができる。
【００４７】
リブ６を形成しない範囲を、図７中、（Ｌ）で示すが、内面上部に形成しない範囲（Ｌ）を有するリブは反射部材本体３の全てのリブ６であってもよいし、その一部であってもよい。
【００４８】
光反射材４は、光反射テープ以外に、光反射塗料を反射部材本体３の側面に塗布して形成した光反射塗膜であってもよい。
【００４９】
以上のように構成されている、この発明の防護柵支柱用反射部材は、以下のようにして、支柱１のキャップ２に嵌め込まれる。
【００５０】
反射部材本体３をキャップ２に当てがい、手のひらで反射部材本体３を押し下げる。このときの押し下げ力は、爪５の弾性力が大きくないので、容易に押し下げることができる。反射部材本体３が押し下げられると、爪５は、キャップ２の側面に沿って、弾性力に抗して外方に広がりながら下降する。爪５は、キャップ２を通過すると、弾性力により元の状態に復帰する。これによって、爪５は、キャップ２の下部端面に当接する結果、反射部材本体３に引き抜き力が作用しても反射部材本体３は、キャップ２から外れることはない。
【００５１】
このようにして、この発明の防護柵支柱用反射部材は、防護柵の支柱１のキャップ２に容易かつ確実に嵌め込まれ、反射部材本体３に引き抜き力が作用しても反射部材本体３がキャップ２から容易に外れることはない。
【００５２】
ここで、防護柵は、支柱間にガードレール、ガードパイプあるいはガードケーブルを取り付けたもの、あるいは、転落防止柵や横断防止柵等であってもよい。
【００５３】
以上説明したように、この発明によれば、以下のような効果がもたらされる。
【００５４】
（ａ）部品数が少なくて済むので、製造コストが安くつく。
（ｂ）反射部材本体３とキャップ２とは、リブ６を介して線接触するので、接触面積が狭く、このために、人手による小さな嵌め込み力で反射部材本体３をキャップ２に嵌め込むことができる。
（ｃ）反射部材本体３を蓋状に形成することによって、キャップ２に打撃を加えて支柱を１構築する際に生じる打撃傷を補修する必要がない。
（ｄ）キャップ２の打撃によりキャップ２の上部のコーナー部が変形しても、リブ６を反射部材本体３の内面上部に形成しないことによって、反射部材本体３をキャップ２に正確に嵌め込むことができる。
（ｅ）反射部材本体３をキャップ２に嵌め込む際、反射部材本体３とキャップ２との間の空気は、リブ６間に形成された隙間から外部に排気されるので、この点からも人手による小さな嵌め込み力で反射部材本体３をキャップ２に嵌め込むことができる。
（ｆ）従来キャップほど高い強度を必要としないので、防護柵への車の衝突事故等により破損して飛散し、人に当たった場合であっても人に与える影響が少ない。
【符号の説明】
【００５５】
１：支柱
２：キャップ
３：反射部材本体
３ａ：切り欠き
４：光反射材
５：爪
６：リブ
１１：キャップ本体
１２：板ばね
１３：支柱
１４：突起
１５：ボルト
１６：光反射テープ
１７：爪
１８：支柱
１９：キャップ
２０：反射部材本体
２１：爪
２２：光反射材
２３：当接部
２３ａ：切り欠き
【図１】
2017145638.tif 000003
【図２】
2017145638.tif 000004
【図３】
2017145638.tif 000005
【図４】
2017145638.tif 000006
【図５】
2017145638.tif 000007
【図６】
2017145638.tif 000008
【図７】
2017145638.tif 000009
【図８】
2017145638.tif 000010
【図９】
2017145638.tif 000011
【図１０】
2017145638.tif 000012
【図１１】
2017145638.tif 000013
【図１２】
2017145638.tif 000014
【図１３】
2017145638.tif 000015
【図１４】
2017145638.tif 000016
【図１５】
2017145638.tif 000017
【図１６】
2017145638.tif 000018
【図１７】
2017145638.tif 000019
【図１８】
2017145638.tif 000020
【図１９】
2017145638.tif 000021
【図２０】
2017145638.tif 000022
【図２１】
2017145638.tif 000023